(57)【要約】      （修正有）【課題】ノミ、ダニ等の寄生虫を効率良く吸引して捕集、除去できる器具を提供する。【解決手段】寄生虫吸引具１は、吸引部材２、基部３、取手部材４、捕集部材とからなる部材で構成される。吸引部材２および取手部材４は基部３に取り付けられ、捕集部材は取手部材４内部に挿入される構成となっている。吸引部材２は、二枚の突出片２１，２２およびスペーサーで構成され、両突出片２１，２２の中間に配置されたスペーサーにより、一定の間隙が形成され、この間隙が寄生虫等の吸引口となっている。寄生虫吸引具１は、吸引機器の吸気ホース等に装着されて使用され、取手部材４を把持して吸引部材２を対象動物の皮膚上に当接させつつ移動させることで、吸引部材２の間隙からノミ、ダニ等の寄生虫を吸引させることができる。そして、吸引された寄生虫は基部３の中空部を通過して捕集部材に捕集される。【選択図】図１
0003138791.tif 000002
【実用新案登録請求の範囲】
【請求項１】
吸引機器に接続され寄生虫等を吸引する吸引具であって、連通する中空部を有し、かつ上記吸引機器に接続可能に設けられた基部と、この基部の中空部に連続しつつ適宜個所で開口してなる吸引口を有し、かつ上記基部によって支持される吸引部材とを備えたことを特徴とする寄生虫吸引具。
【請求項２】
吸引機器に接続され寄生虫等を吸引する吸引具であって、上記吸引機器に接続され、かつ使用者が把持できる程度に十分な長さを有する筒状の取手部材と、この取手部材に装着可能で、かつ連通する中空部を有する基部と、この基部の中空部に連続しつつ適宜個所で開口してなる吸引口を有し、かつ上記基部によって支持される吸引部材とを備えたことを特徴とする寄生虫吸引具。
【請求項３】
前記取手部材は、透明または半透明の材料によって構成されるとともに、通気性を有する材質からなる袋状の捕集部材を、前記基部が装着する側に開口部を向けて装着してなる取手部材である請求項２記載の寄生虫吸引具。
【請求項４】
前記吸引部材は、前記基部の中空部を閉鎖する第一の突出片と、この第一の突出片よりも上記基部に近接する位置で該突出片に積層され、かつ該基部の中空部に連続する貫通部を有する少なくとも一枚の第二の突出片と、各突出片の中間において所定の間隙を形成する間隔片とによって構成された吸引部材である請求項１ないし３のいずれかに記載の寄生虫吸引具。
【請求項５】
前記第一および第二の突出片は、先端が同様の波形に形成されてなる突出片である請求項４記載の寄生虫吸引具。
【請求項６】
吸引機器に接続され寄生虫等を吸引する吸引具であって、上記吸引機器に接続され、かつ使用者が把持できる程度に十分な長さを有する透過性のある筒状の取手部材と、この取手部材の内部に開口部を先端に向けて装着してなる通気性を有する袋状の捕集部材と、上記取手部材に装着可能で、かつ連通する中空部を有する基部と、この基部の中空部に連続しつつ適宜個所で開口してなる吸引口を有し、かつ上記基部によって支持される吸引部材とを備え、上記吸引口は、上記基部から突出する第一および第二の突出片の間隙によって構成され、上記第一の突出片は、上記基部の中空部を閉鎖する平面部分と、先端において波状を形成する櫛状先端部分とを有し、上記第二の突出片は、上記基部の中空部に連続する貫通部を有する貫通部分と、先端において波状を形成する櫛状先端部分とを有し、上記第一および第二の突出片の中間には、開口部を構成しない範囲において略馬蹄形状の間隔片を配置してなることを特徴とする寄生虫吸引具。
【考案の詳細な説明】
【技術分野】
【０００１】
本考案は、ノミ、ダニ等に代表される動物の寄生虫を捕集、除去するための器具に関するものである。
【背景技術】
【０００２】
従来技術において、犬、猫等の動物に寄生しているノミ、ダニ等を捕集、除去するものとして、動物用ブラシがある（特許文献１）。この動物用ブラシは、中空部を有する平面部分にブラシ面が形成され、このブラシ面上にノミ、ダニ、フケ、埃等を吸引するための開口部が、大きく２箇所配設されている。
【０００３】
また、他の動物用ブラシとして、中空の吸気室を有する基体の表面位置に小径の吸気口とブラシ毛の各々を複数配設するとともに、前記基体の他の位置に吸気室と連通する適長の排出パイプが付設されているものがある（特許文献２）。
【０００４】
しかし、これらの動物用ブラシは、ノミ、ダニ等を吸引すると同時に、抜け毛や塵埃も吸引する構造であるため、吸気口を大きくせざるを得ず、その結果、十分な吸引力を発揮することができないという問題があった。
【０００５】
そこで、上記問題を解決するものとして、中空部を有する中空櫛であって、櫛の櫛歯部分のそれぞれに貫通孔を有する構造のものが案出されている（特許文献３）。かかる中空櫛においては、櫛の櫛歯部分にはそれぞれ中空部と連通している貫通孔が設けられており、この貫通孔によりノミ、ダニ等の寄生虫を吸引することができるようになっている。
【特許文献１】実用新案登録第３００４６５２号（図１）
【特許文献２】実開平７−２４０３７号公報（図１）
【特許文献３】実用新案登録第３０２５８６５号（図１）
【考案の開示】
【考案が解決しようとする課題】
【０００６】
しかしながら、上記中空櫛には、櫛歯部分の貫通孔にのみ吸引口があるため、この貫通孔以外の箇所では、ノミ、ダニ等の寄生虫を吸引させる確率が極めて低く、必ずしも効率良くこれらの寄生虫を吸引できているものとは言い難いものであった。
【０００７】
本考案は、上記諸点に鑑みてなされたものであって、その目的とするところは、ノミ、ダニ等の寄生虫を効率良く吸引して捕集、除去できる器具を提供することにある。
【課題を解決するための手段】
【０００８】
そこで、本考案は、吸引機器に接続され寄生虫等を吸引する吸引具であって、連通する中空部を有し、かつ上記吸引機器に接続可能に設けられた基部と、この基部の中空部に連続しつつ適宜個所で開口してなる吸引口を有し、かつ上記基部によって支持される吸引部材とを備えたことを特徴とする寄生虫吸引具を要旨とする。上記構成によれば、吸引機器による吸引力は、基部の中空部を通って吸引口に伝達されることとなる。そして、この吸引口は、適宜個所で開口されているため、当該吸引機器の吸引力に応じて最適の開口状態を備えた吸引部材を基部に装着することにより、その吸引機器の吸引能力を最大限に発揮させ得る。
【０００９】
また、本考案は、吸引機器に接続され寄生虫等を吸引する吸引具であって、上記吸引機器に接続され、かつ使用者が把持できる程度に十分な長さを有する筒状の取手部材と、この取手部材に装着可能で、かつ連通する中空部を有する基部と、この基部の中空部に連続しつつ適宜個所で開口してなる吸引口を有し、かつ上記基部によって支持される吸引部材とを備えたことを特徴とする寄生虫吸引具をも要旨とする。上記構成によれば、基部に取手部材を装着させることにより、使用者が把持し易くなるため、使用者の利便性を向上させることができる。
【００１０】
上記考案において、取手部材は、透明または半透明の材料によって構成されるとともに、通気性を有する材質からなる袋状の捕集部材を、前記基部が装着する側に開口部を向けて装着してなる取手部材とすることができる。上記構成によれば、取手部材を透明または半透明の材料にすることで、内部を視認することができる。また、吸引機器により吸引された寄生虫は、袋状の捕集部材の内部に捕集されるため、寄生虫の捕集状態を確認することができる。そして、捕集部材を装着可能とすることで、捕集された寄生虫が捕集部材内に満杯になった際にも、捕集した寄生虫に手を触れることなく、捕集部材の交換が可能となり、捕集部材そのものを廃棄処理させることができるのである。
【００１１】
また、上記各考案において、前記吸引部材は、前記基部の中空部を閉鎖する第一の突出片と、この第一の突出片よりも上記基部に近接する位置で該突出片に積層され、かつ該基部の中空部に連続する貫通部を有する少なくとも一枚の第二の突出片と、各突出片の中間において所定の間隙を形成する間隔片とによって構成された吸引部材とすることができる。上記構成によれば、吸引部材は、各突出片の中間における間隔片により所定の間隙が形成されて寄生虫を吸引させる構造を有するため、吸引口を大きく開口させる場合と比較して吸引される空気が分散されず、吸引力の低下を防ぐことができる。
【００１２】
さらに、上記考案において、前記第一および第二の突出片は、先端が同様の波形に形成されてなる突出片とすることができる。上記構成によれば、各突出片を波形に形成することで、動物の毛を櫛梳かすと同時に皮膚上に生息している寄生虫を吸引させることができるのである。
【００１３】
また、本考案は、吸引機器に接続され寄生虫等を吸引する吸引具であって、上記吸引機器に接続され、かつ使用者が把持できる程度に十分な長さを有する透過性のある筒状の取手部材と、この取手部材の内部に開口部を先端に向けて装着してなる通気性を有する袋状の捕集部材と、上記取手部材に装着可能で、かつ連通する中空部を有する基部と、この基部の中空部に連続しつつ適宜個所で開口してなる吸引口を有し、かつ上記基部によって支持される吸引部材とを備え、上記吸引口は、上記基部から突出する第一および第二の突出片の間隙によって構成され、上記第一の突出片は、上記基部の中空部を閉鎖する平面部分と、先端において波状を形成する櫛状先端部分とを有し、上記第二の突出片は、上記基部の中空部に連続する貫通部を有する貫通部分と、先端において波状を形成する櫛状先端部分とを有し、上記第一および第二の突出片の中間には、開口部を構成しない範囲において略馬蹄形状の間隔片を配置してなることを特徴とする寄生虫吸引具を要旨とする。上記構成によれば、二つの突出片の櫛状先端部分を互いに平行となるように配設し、両突出片の中間に略馬蹄形状の間隔片を配置させることで、一定の間隙が形成されることとなる。この間隙により形成される吸引口により、吸引方向を一定にさせることができ、吸引される空気を分散させることなく、寄生虫等を吸引させることができる。
【考案の効果】
【００１４】
本考案によれば、寄生虫吸引具の吸引口を所定の間隙とすることで、多量の抜け毛、塵埃を吸引させることなく、ノミ、ダニ等の寄生虫を効率良く吸引して捕集、除去させることができる。また、第一および第二の突出片を有する吸引部材を備えた構成の考案によれば、両突出片の間隙においてのみ吸引可能であるため、吸引機器の吸引力を大型化することなく、しかも、広範囲において吸引できることから、極めて効率の良い寄生虫吸引具を提供することができる。
【考案を実施するための最良の形態】
【００１５】
以下、本考案の実施の形態を図面に基づいて説明する。第一の実施形態は、寄生虫吸引具すなわちノミ、ダニ等を吸引するための器具に関するものである。図１において示しているように、寄生虫吸引具１は、吸引部材２、基部３、取手部材４、捕集部材５とからなる部材で構成されている。吸引部材２および取手部材４は、基部３に取り付けられており、捕集部材５は、取手部材４の内部に挿入される構成となっている（図３参照）。
【００１６】
吸引部材２は、図２に示すように、二枚の突出片２１，２２およびスペーサー（間隔片）２３で構成されている。本実施形態における第一の突出片２１は、基部３の中空部３３を閉鎖する平面部分と、先端において波形を形成する櫛状先端部分が備えられている。一方、第二の突出片２２は、基部３の中空部３３に連続する貫通部２２１を有する貫通部分と、第一の突出片２１と同様に先端において波形を形成する櫛状先端部分が備えられている。この第二の突出片２２は、第一の突出片２１よりも基部３に近接する位置で第一の突出片２１に積層されている。スペーサー（間隔片）２３は略馬蹄形に形成されており、第一の突出片２１と第二の突出片２２の中間に配置されている。そして、両突出片２１，２２の中間に配置されたスペーサー２３により、一定の間隙が形成され、この間隙が寄生虫等の吸引口になるのである（図１参照）。すなわち、スペーサー２３の肉厚により一定の間隙を有する吸引口が得られるのである。このとき、スペーサー２３の開口部を櫛状先端部分の形成方向に向けることで、吸引方向を一定にさせることができる。
【００１７】
基部３は、図２に示すように、吸引機器で吸引させるための連通する中空部を有する段付円筒形に形成されている。吸引部材２の取付面３４は、断面楕円形の傾斜面になっている。一方、吸引部材２の取付面３４と反対の側には、内径を同じにしつつ外径の異なる第一の円筒部３１および第二の円筒部３２が段状に連続形成されている。
【００１８】
取手部材４は、図３に示すように、円筒状に形成されており、その一端は上記基部３の第一の円筒部３１を嵌入できる内径を有し、他端には外径をやや小さくしてなる吸引機器接続部４１が設けられている。従って、当該取手部材４の一端に基部３の第一の円筒部３１を嵌入させることで、この取手部材４は基部３に接続されることとなり、また、他端の吸引機器接続部４１を図示せぬ吸引機器の吸引ホース（掃除機のホース）に嵌入させることで、当該取手部材４が吸引機器に接続されることとなるのである。ところで、この取手部材４は、透明または半透明の合成樹脂で形成されており、取手部材４の内部が視認できるようになっている。また、この取手部材４の中空内部には、捕集部材５が挿入できるようになっている。
【００１９】
なお、取手部材４の外周面上の適宜位置には略円形の貫通孔４２が設けられているが、これは取付部材４の外周部を把持して貫通孔４２を親指等で塞いだり緩めたりすることで、吸引部材２から吸引される空気の吸引量を調整させ、その吸引力を調整させるためのものである。また、取手部材４の材料は、透明または半透明の素材であればよく、ガラス等の材料であっても使用できる。
【００２０】
捕集部材５は、寄生虫を捕集するための部材であり、第二の円筒部３２に取り付けることができるように、開口部を有する袋状になっている。この捕集部材５は、寄生虫を捕集しつつ吸引した空気を通過させる必要があるため、通気性を有する網目状の素材が使用される。この網目状の素材には、不織布等の素材が使用されるが、これらの素材に限定するものではなく、寄生虫の体長より網目が細かいものであれば寄生虫の捕集が可能である。
【００２１】
次に、寄生虫吸引具１の詳細構造について説明する。図１に示すように、寄生虫吸引具１は、吸引部材２および取手部材４が基部３に取り付けられている構造となっている。基部３における吸引部材２の取付面３４は、図２に示すように、断面楕円形の傾斜面が形成されている。吸引部材２は基部３を構成する円筒部の軸線に対して傾斜して取り付けられ、ネジ２４により螺合される。これにより、吸引部材２の平面部と基部３の軸線との交角は、基部３の傾斜面の角度によって決定されることになる。一方、基部３における吸引部材２の取付面３４と反対の側には、第一の円筒部３１および第二の円筒部３２が形成されている。この第一の円筒部３１には取手部材４が装着され、第二の円筒部３２には、捕集部材５が装着される構成となっている。第一の円筒部３１および第二の円筒部の基部３における配置は、基部３を構成する円筒部の軸線と同一軸線上に位置する構造となっている。その結果、第一の円筒部３１に装着される取手部材４の軸線は、基部３と同一軸線上に位置することとなる。
【００２２】
本実施形態では、寄生虫吸引具の使用者は取手部材４の外周面を把持して使用するため、作業の利便性を考慮すると、吸引部材２の突出片２１（，２２）の平面に取手部材４の軸線が交差するときの角度は垂直でなく傾斜状とすることが好ましい。
【００２３】
また、基部３と取手部材４の装着時に、第一の円筒部３１の外径と取手部材４の内径との間に間隙が存在すると、吸引作業の際、寄生虫吸引具１の外部からこの間隙を通過して取手部材４の内部に向かって外部の空気が流入することにより、吸引力が低下することが考えられる。このため、基部３と取手部材４の装着においては、基部３から取手部材４が自重で外れないような嵌合性と密着性が必要となるのである。そのため、第一の円筒部３１の外径は取手部材４の内径より若干大きくする（いわゆる遊嵌できるようにする）必要がある。
【００２４】
また、図３に示されるように、捕集部材５は開口部を有する袋状になっており、基部３における第二の円筒部３２の外径部に開口部を先端に向けた状態で装着される。装着後は捕集部材５の開口部の外周に紐状部材を結紐させることで、第二の円筒部３２と捕集部材５を固定させることができる。そして、第二の円筒部３２に捕集部材５を装着後、第一の円筒部３１に取手部材４を装着させることで、この取手部材４の内部に捕集部材５が位置することとなる。このとき、取手部材４は透過性のある合成樹脂で形成されているため、捕集部材５の捕集状態が外部から視認できるのである。
【００２５】
以上の構造により、寄生虫吸引具１は、吸引機器接続部４１を電気掃除機等の吸引機器の吸気口または吸気ホースに装着させ、取手部材４を把持して吸引部材２における第一の突出片２１の平面部を対象動物の皮膚上に当接させつつ移動させることで、吸引部材２の間隙からノミ、ダニ等の寄生虫を吸引させることができる。そして、吸引された寄生虫は基部３の中空部を通過して捕集部材５に捕集されるのである。この吸引部材２の間隙は、スペーサー２３により構成されるものである。このとき、スペーサー２３の肉厚を薄くさせることにより、吸引部材２の間隙も狭くさせることができ、多量の抜け毛、塵埃を吸引することなく、ノミ、ダニ等の寄生虫を効率良く吸引して捕集、除去できるのである。また、スペーサー２３の形状を略馬蹄形とし、このスペーサー２３の開口方向を櫛状先端部分の形成方向に向けることで、吸引部材２から吸引される空気が拡散されることなく、吸引方向を一定の方向にさせることができる。これにより、寄生虫吸引具１の吸引力の低下を防止させることができる。
【００２６】
次に、本発明の第二の実施形態について説明する。本実施形態は、図４および図５に示すように、第一の実施形態とほぼ同様の構成であるが、吸引部材２の構成において異なっている。すなわち、吸引部材２における第一の突出片２１と基部３の中間に第二の突出片２２およびスペーサー２３と同形状の部材を複数枚配設させる構成とするのである。
【００２７】
このように、本実施形態によれば、第二の突出片２２およびスペーサー２３と同形状の部材を複数枚配設させることで、吸引部材２の吸引口となる間隙が複数箇所に形成されるため、動物の皮膚上に生息している寄生虫のみならず、動物の毛髪上に生息する寄生虫をも効率良く吸引させることができるのである。
【００２８】
さらに、本発明の第三の実施形態について説明する。本実施形態は、図６に示すように、基部３の構造において異なっている。すなわち、基部３に第一の円筒部３１のみが形成される構造とすることができる。この構造によれば、二つの使用態様が考えられる。第一の使用態様は、基部３の第一の円筒部３１に吸引機器から連通させている吸気ホースを装着させる態様である。この態様によれば、吸気ホースが装着された基部３を手で把持して使用することにより、ノミ、ダニ等の寄生虫を吸引させることができる。次に、第二の使用態様は、基部３の第一の円筒部３１に取手部材４のみを装着させ、捕集部材５を装着させない態様である。この態様によれば、取手部材４の内部には捕集部材５は装着されないため、吸引部材２から吸引されたノミ、ダニ等の寄生虫は、取手部材４の中空部を通過して連通される吸引機器等に吸引されることとなる。そのため、上記二つの使用態様の場合に吸引された寄生虫を捕集、除去させるためには、捕集、除去させることのできるフィルターまたは通気性のある袋状部材が配設されていることが必要となる。
【００２９】
このように、本実施形態の場合であっても、吸引部材２から吸引されたノミ、ダニ等の寄生虫は、取手部材４内部の中空部を通過し、吸引機器等に配設されたフィルター等に捕集させることができるのである。
【００３０】
本実施形態は上記のとおりであるが、本発明の趣旨を逸脱しない範囲において種々の態様をとることができる。例えば、第一の実施形態において、取手部材４と基部３の装着構造は、両部材を嵌合させる構造としているが、取手部材４の内径面を雌ねじ加工とし、基部３の取手装着部３１の外径面を雄ねじ加工とすることで、両部材を螺合させて固定させる構造とすることもできる。また、スペーサー２３の肉厚を変更させることにより、吸引口の間隙寸法を変更させることができる。この場合において、寄生虫吸引具１の吸引力を高くしたい場合には、スペーサー２３の肉厚を薄くする構造とすることで、吸引部材２における吸引口の間隙が狭くなるため、吸引力を向上させることができるのである。なお、スペーサー２３の形状は、このスペーサー２３の一部に開口部を有する形状であれば良く、Ｃ字形、コ字形等の形状であっても、スペーサー（間隔片）として使用することができる。
【００３１】
また、寄生虫吸引具１の吸引力の調整として、第一の実施形態では取手部材４の外周面に貫通孔４２を形成し、親指等でこの貫通孔４２を塞ぐ等することにより調整しているが、図７に示すように、断面円形の帯状部材４３を取手部材４の外周面に形成されている貫通孔４２上に装着させて調整することもできる。この構成によれば、帯状部材４３の内周面を取手部材４の外周面に当接させることとなり、帯状部材４３を貫通孔４２上で平行移動させることにより、取手部材４の外周面上に円弧状の間隙が形成され、この間隙の大きさにより吸引力の調整ができるのである。
【図面の簡単な説明】
【００３２】
【図１】本考案の第一の実施形態を示す斜視図である。
【図２】本考案の第一の実施形態を示す詳細図である。
【図３】本考案の第一の実施形態を示す詳細図である。
【図４】本考案の第二の実施形態を示す斜視図である。
【図５】本考案の第二の実施形態を示す詳細図である。
【図６】本考案の第三の実施形態を示す詳細図である。
【図７】本考案の他の実施形態を示す詳細図である。
【符号の説明】
【００３３】
１  寄生虫吸引具
２  吸引部材
３  基部
４  取手部材
５  捕集部材
２１  第一の突出片
２２  第二の突出片
２３  スペーサー（間隔片）
２４  ネジ
３１  第一の円筒部
３２  第二の円筒部
３３  中空部
３４  取付面
４１  吸引機器接続部
４２  貫通孔
４３  帯状部材
２２１  貫通部
【図１】
0003138791.tif 000003
【図２】
0003138791.tif 000004
【図３】
0003138791.tif 000005
【図４】
0003138791.tif 000006
【図５】
0003138791.tif 000007
【図６】
0003138791.tif 000008
【図７】
0003138791.tif 000009